(57)【要約】  【課題】  不織布製の本体を備えた食害防止具において、本体への小型草食性動物の噛みつき行動を途中で断念させて食害を防止することを課題とする。  【解決手段】  苗木を包囲する筒状に形成し得る不織布製の本体を備えた食害防止具であって、上記本体を、生分解性不織布と繊維状または粉体状の無機物とを含む複合不織布で構成して成り、上記複合不織布を、生分解性不織布と無機繊維シートとで構成するか、生分解性繊維と無機繊維とで構成するか、生分解性繊維表面に無機粉体を固着した構成にして成る。【選択図】  なし【特許請求の範囲】
【請求項１】
苗木を包囲する筒状に形成し得る不織布製の本体を備えた食害防止具であって、上記本体が、生分解性繊維と繊維状または粉体状の無機物とを含む複合不織布であることを特徴とする造林苗木用食害防止具。
【請求項２】
複合不織布が、生分解性不織布と無機繊維シートとからなる請求項１に記載の造林苗木用食害防止具。
【請求項３】
複合不織布が、生分解性繊維と無機繊維とからなる請求項１に記載の造林苗木用食害防止具。
【請求項４】
複合不織布が、生分解性繊維表面に無機粉体を固着してなる請求項１に記載の造林苗木用食害防止具。
【請求項５】
複合不織布が、生分解性繊維中に無機粉体を含有した複合繊維からなる請求項１に記載の造林苗木用食害防止具。
【発明の詳細な説明】
【技術分野】
【０００１】
本発明は、造林地域に植栽した針葉樹（ヒノキ・スギ・カラマツ・アカマツ等）や広葉樹（ブナ・ミズナラ・ケヤキ等）の苗木について、主として小型草食性動物（ノウサギ・ノネズミ等）による摂食被害（以下、単に食害という）を防止するのに用いる造林苗木用食害防止具の改良に関する。
【背景技術】
【０００２】
苗木が食害にあうと、成長が著しく阻害され、時には枯死することもある。よって、苗木の食害防止は林業関係者にとって重要な問題になっている。
【０００３】
そこで、本出願人は、従来のプラスチック板やネット等に代えて、運搬性・組み立て容易性・通気性等を向上し、さらに回収撤去作業を解消した生分解性不織布からなる本体を備えた食害防止具について多くの提案をした（例えば、特許文献１、特許文献２）。
【特許文献１】特開２０００−３００１４７号公報
【特許文献２】特開２００３−１１６３７２号公報
【発明の開示】
【発明が解決しようとする課題】
【０００４】
さきに提案した食害防止具を造林地域に使用したところ、小型草食性動物の噛みつき行動によって時々破損されることがあり、その結果、苗木が数％の確率で食害をうけることが判明した。
【０００５】
本発明は、不織布製の本体を備えた食害防止具において、本体への小型草食性動物の噛みつき行動を途中で断念させて、苗木の食害を防止することを課題とする。
【課題を解決するための手段】
【０００６】
本発明の食害防止具は、本体を、生分解性繊維と繊維状または粉体状の無機物とを含む複合不織布で構成したことを特徴とする（請求項１）。
【０００７】
本発明において、請求項１に記載の複合不織布の具体的構成としては、
（１）生分解性不織布と無機繊維シートとで構成（請求項２）
（２）生分解性繊維と無機繊維とを混合した構成（請求項３）
（３）生分解性繊維表面に無機粉体を固着した構成（請求項４）
（４）生分解性繊維中に無機粉体を含有した複合繊維で構成（請求項５）
が好適である。
【０００８】
この手段によれば、本体を、生分解性繊維と繊維状又は粉体状の無機物とを含む複合不織布で構成したから、小型草食性動物が本体を破るために噛みつくと、複合不織布中の繊維状又は粉体状の無機物が破断されて鋭利な形状になる。よって、この鋭利な形状の無機物が口中を突き刺したり、折れて口中に刺さったりし、小型草食性動物の噛みつき行動を断念させる。
【発明の効果】
【０００９】
本発明の食害防止具は、本体に噛みついた小型草食性動物の口中を傷つけて痛みを生じさせるから、本体への噛みつき行動を断念させ、忌避させることができ、食害を防止することができる。
【発明を実施するための最良の形態】
【００１０】
以下、本発明の実施の形態を図面に基づいて詳細に説明する。
【００１１】
図１に示す食害防止具Ａは、苗木を包囲可能にした複合不織布からなる本体１と、この本体１の両端の接合部分に挿着したＦＲＰ製の棒からなる補強材２と、両端の接合部分に挟着する生分解性プラスチックで成型した複数の止め具３とか成る。
【００１２】
この食害防止具Ａの使用方法としては、植栽した苗木の上方より本体１を囲むように被せて、下端部分を地中に埋め込んで配設する。
【００１３】
上記本体１の複合不織布の具体的構成としては、（１）生分解性不織布と無機繊維シートとで構成、（２）生分解性繊維と無機繊維とを混合した構成、（３）生分解性繊維表面に無機粉体を固着した構成、（４）生分解性繊維中に無機粉体を含有した複合繊維で構成が好適である。
【００１４】
まず、（１）の複合不織布は、生分解性繊維不織布と無機繊維シートとを接着剤接着・熱接着・超音波接着などから選択した接着手段によって固着して製造することができる。その構成としては、２層構造でもよいし、中間に無機繊維シートを挟んだ３層構造でもよい。
【００１５】
この場合、生分解性繊維としては、例えば絹・綿等の天然繊維、レーヨン・ポリ乳酸・脂肪族ポリエステルグルタミン酸等の合成繊維を用いることができる。これらから選択した生分解性繊維からなる不織布は、乾式不織布・湿式不織布・ニードルパンチ不織布・スパンレース不織布・スパンボンド不織布・メルトブロー不織布のいずれでもよい。
【００１６】
無機繊維としては、ガラス繊維・アルミナ繊維・チタン酸カリウム繊維・炭素繊維・ロックウール繊維等を使用できるが、繊維径１０μｍ〜２００μｍのガラス繊維・アルミナ繊維が好ましい。というのは、これらの繊維は破断したときにその破断部分がとりわけ鋭利な形状になるからである。
【００１７】
次に、（２）の複合不織布は、生分解性繊維と無機繊維とを均一に分散混合して、カード機や抄紙機を用いて製造することができる。
【００１８】
さらに、（３）の複合不織布は、例えば、乾式不織布の製造時において、繊維バインダーに無機粉体を均一に分散して浸漬法・スプレー法で生分解性不織布に適用した後、乾燥工程を経ることによって、無機粉体を生分解性繊維表面に均一に固着することができる。
【００１９】
この場合、無機粉体としては、ガラスビーズ・アルミナビーズ・ジルコニアビーズ等の無機材料ビーズ、アランダム・コランダムの無機粉体、ガラス繊維のパウダー状カットファイバーやアルミナ繊維のカットファイバー等の無機材料粉体を用いることができる。これらの中でも、直径５０μｍ〜２００μｍのガラスビーズ、アランダム・コランダムの無機粉体、繊維径１０μｍ〜２００μｍのガラス繊維カットファイバーを用いると、破断部分が鋭利な形状になるので特に好ましい。
【００２０】
（４）の複合不織布は、通常の紡糸法によって製造した、数μｍ以下の無機微粒子を含有した複合繊維を用いて、乾式不織布や湿式不織布を製造することができる。また、無機微粒子が生分解性繊維に分散した複合繊維を用いてスパンボンド不織布も製造することができる。
【実施例】
【００２１】
本体として、厚み０．３２ｍｍ、目付４９ｇ／ｍ2 のポリ乳酸スパンボンド不織布と、厚み０．６ｍｍ、目付８０ｇ／ｍ2 のガラスペーパとの間に、厚み０．２ｍｍ、目付２０ｇ／ｍ2 の熱接着不織布を挟んで、表面温度１２０℃の熱ロール間に通して、厚み０．７ｍｍ、目付１４５ｇ／ｍ2 、引裂強力縦３．５ｋｇｆ、横３．６ｋｇｆの複合不織布を作製した。
【００２２】
この複合不織布を縦５５０ｍｍ×横４２０ｍｍの長方形に裁断して、横方向の両端１０ｍｍ部分を折り返してミシン掛けして巾１０ｍｍの接合部分を形成した。そして、接合部分には、長さ５５０ｍｍ×直径３ｍｍのポリエステル樹脂ＦＲＰ棒を装着した。両端の接合部分には、生分解性プラスチックの脂肪族ポリエステルを用いて金型でもって断面略Ω状に成形した止め具（巾１５ｍｍ、厚み１ｍｍ、円形部分の直径８ｍｍ）を装着して造林苗木用食害防止具を作製した。
【００２３】
次に、実施例の複合不織布を８ｃｍ×１６ｃｍに裁断し、ガラスペーパを外側になるように二つ折りして三辺外周を止めて餌袋（実施例品）を作製した。比較例として、ポリ乳酸スパンボンド不織布を同寸法に裁断して、同様にして餌袋（比較例品）を作製した。そして、各餌袋の内部に市販の固形ペレット状ハムスターフードを１０個入れ、残りの辺を止めた。
【００２４】
そして、１日間餌を与えなかったウサギ（品種：ピーターラビット）とハムスター（品種：ゴールデンハムスター）に実施例品と比較例品とを順次与えて、餌袋を破る時間を２度測定する観察実験を行った。
【００２５】
その結果、比較例品については、ウサギが平均３時間で破り、またハムスターが平均１．５時間で破って中の餌を食べた。これに対して、実施例品については、ウサギが１回噛みついて破ろうとしたが断念し、その後は噛みつき行動を２度と起こさなかった。また、ハムスターが２回噛みついて破ろうとしたが断念し、その後は噛みつき行動を２度と起こさなかった。
【００２６】
この実験により、本実施例品は、小型草食性動物が１度噛みついても２度と噛みつき行動をしないという忌避効果を発揮することが確認できた。
【図面の簡単な説明】
【００２７】
【図１】本発明の食害防止具の説明図である。
【符号の説明】
【００２８】
Ａ    食害防止具
Ｓ    苗木
１    食害防止具本体
２    補強棒
３    止め具
【図１】
2005237259.tif 000002